(57)【要約】【課題】簡便な光コネクタ接続方式による光ドロップケーブルの直線接続部構造を提供する。【解決手段】接続すべき両側の光ドロップケーブル１１の先端近傍で、各光ケーブル１５と支持線１６とを分離する。各光ケーブル１５にそれぞれ光コネクタ２５を取り付け、互いに光接続する。支持線１６どうしを例えば連結スリーブ２８のカシメで連結する。細長いベース部材３１の両端部のケーブル把持部３２で光ケーブル１５を把持する。光コネクタ２５をベース部材３１にテープ巻き３３等で固定する。例えば予め一方の光ドロップケーブル１１に通していた保護スリーブ２２を引き寄せて、光コネクタ２５、ベース部材３１等の部分に被せる。保護スリーブ２２の両端に端面キャップを取り付けて、保護スリーブ２２の開口を閉ざす。直線接続部を容易に小型軽量化できる。組み立てが容易である。【選択図】図３
2007140001.tif 000002
【特許請求の範囲】
【請求項１】
光ケーブル部と支持線とを一体化した光ドロップケーブルの直線接続部構造であって、
接続すべき両側の光ケーブルの端部にそれぞれ取り付けた一対の光コネクタを互いに接続し、前記互いに接続された状態の光コネクタを細長いベース部材に固定し、このベース部材の両側に設けたケーブル把持部にて両側の光ケーブルを把持し、両側の支持線どうしを支持線固定手段により互いに固定し、前記光コネクタ、ケーブル把持部及び支持線固定部などの部分を円筒状の保護スリーブで覆い、前記保護スリーブの両端部にそれぞれ、保護スリーブの開口を閉塞するための端面キャップを被せたことを特徴とする光ドロップケーブルの直線接続部構造。
【請求項２】
互いに接続された状態の両側の光コネクタ部分と、互いに固定された両側の支持線部分とが、前記細長いベース部材に添って設けられていることを特徴とする請求項１記載の光ドロップケーブルの直線接続部構造。
【請求項３】
前記保護スリーブは、一対の半割り部材からなり、両半割り部材を合体した時に全体として円筒状を呈することを特徴とする請求項１記載の光ドロップケーブルの直線接続部構造。
【請求項４】
前記端面キャップは、薄肉ヒンジ部で連接された一対の半割り片からなり、両半割り片を閉ざした時に互いの縁部が係合する構造であることを特徴とする請求項１記載の光ドロップケーブルの直線接続部構造。
【請求項５】
前記ベース部材の両端位置に、光ドロップケーブルを挿通させる筒状をなし外面に周溝を持つ周溝部材を配置し、端末キャップの内面に、前記周溝部材の周溝に嵌合する突条を形成したことを特徴とする請求項１〜４記載の光ドロップケーブルの直線接続部構造。
【請求項６】
前記周溝部材がベース部材と一体であることを特徴とする請求項５記載の光ドロップケーブルの直線接続部構造。
【請求項７】
前記保護スリーブの両端近傍に周溝を形成し、端末キャップの内面に、前記保護スリーブの外周の周溝に嵌合する突条を形成したことを特徴とする請求項１〜６記載の光ドロップケーブルの直線接続部構造。
【発明の詳細な説明】
【技術分野】
【０００１】
この発明は、光通信網の架空光ケーブルから各家屋に光ファイバを引き込むための光ドロップケーブルに関し、特に、光ケーブル部分と支持線とを一体化した光ドロップケーブルの直線接続部構造に関する。
【背景技術】
【０００２】
光通信網の架空光ケーブルから各家屋に光ファイバを引き込む場合、架空光ケーブルから引き落とした光ドロップケーブルと家屋側の光ドロップケーブルとを接続する必要があるが、その場合、家屋の外壁に成端箱を固定し、その成端箱内に光ドロップケーブルどうしの接続部を収容する方法が一般的である。
また、小型の光クロージャによる直線接続構造とする場合は、図８に示すようにメカニカルスプライス４を用いる接続構造も一般的である。同図において、１は光ドロップケーブルである。図８（イ）の通り、光ドロップケーブル１は光ケーブル部分２と支持線３とを一体化した構造である。両側の光ドロップケーブル１の端部近傍を光ケーブル部分２と支持線３部分とに引き裂き、さらに光ケーブル部分２から露出させた光ファイバ心線２ａどうしはメカニカルスプライス（光ファイバ接続器）４で接続し、両側の支持線３の端部は、樹脂被覆を剥いた上で連結スリーブ６に通して重ね圧着工具でカシメて連結固定している。そして、図８（ロ）のように、予め光ドロップケーブル１に通していた保護スリーブ７をスライドさせて、接続部近傍全体を覆い、かつ、同じく予め光ドロップケーブル１に通していた端面キャップ８を保護スリーブ７の両端に被せる。また、図示は省略するが、保護スリーブ７と端面キャップ８との境目、および端面キャップ８と光ドロップケーブル１の境目にはテーピング処理を施す。
【発明の開示】
【発明が解決しようとする課題】
【０００３】
上記従来の光成端箱による接続方法は、光成端箱を取り付けるために家屋の壁に穴をあけることになるので、ユーザが壁に穴をあけることを望まない場合には、採用できない。
一方、メカニカルスプライスを用いた方式は、家屋の壁に穴をあけることを要しない点では好ましいが、メカニカルスプライスによる接続は基本的には永久接続でありメンテナンス性が良好でないので、着脱可能な光コネクタによる小型クロージャ方式が望まれる。
【０００４】
本発明は上記従来の欠点を解消するためになされたもので、家屋の壁に穴をあける必要のないクロージャ方式で、かつ着脱可能な光コネクタによる光ドロップケーブルの直線接続部構造を提供することを目的とする。
【課題を解決するための手段】
【０００５】
上記課題を解決する請求項１の発明構造は、光ケーブル部と支持線とを一体化した光ドロップケーブルの直線接続部構造であって、
接続すべき両側の光ケーブルの端部にそれぞれ取り付けた一対の光コネクタを互いに接続し、前記互いに接続された状態の光コネクタを細長いベース部材に固定し、このベース部材の両側に設けたケーブル把持部にて両側の光ケーブルを把持し、両側の支持線どうしを支持線固定手段により互いに固定し、前記光コネクタ、ケーブル把持部及び支持線固定部などの部分を円筒状の保護スリーブで覆い、前記保護スリーブの両端部にそれぞれ、保護スリーブの開口を閉塞するための端面キャップを被せたことを特徴とする。
【０００６】
請求項２は、請求項１において、互いに接続された状態の両側の光コネクタ部分と、互いに固定された両側の支持線部分とが、前記細長いベース部材に添って設けられていることを特徴とする。
【０００７】
請求項３は、請求項１において、保護スリーブが、一対の半割り部材からなり、両半割り部材を合体した時に全体として円筒状を呈することを特徴とする。
【０００８】
請求項４は、請求項１又は２において、端面キャップが、薄肉ヒンジ部で連接された一対の半割り片からなり、両半割り片を閉ざした時に互いの縁部が係合する構造であることを特徴とする。
【０００９】
請求項５は、請求項１〜４において、ベース部材の両端位置に、光ドロップケーブルを挿通させる筒状をなし外面に周溝を持つ周溝部材を配置し、端末キャップの内面に、前記周溝部材の周溝に嵌合する突条を形成したことを特徴とする。
【００１０】
請求項６は、請求項５における周溝部材がベース部材と一体であることを特徴とする。
【００１１】
請求項７は、請求項１〜６において、保護スリーブの両端近傍に周溝を形成し、端末キャップの内面に、前記保護スリーブの外周の周溝に嵌合する突条を形成したことを特徴とする。
【発明の効果】
【００１２】
本発明の光ドロップケーブルの直線接続部構造によれば、成端箱と異なり、壁に取り付けることなく家屋の手前に吊下げて設置することができる。したがって、壁に穴をあけることなく、光ケーブルを家屋内に引き込むことができる。
また、本発明の直線接続部構造の組み立ては、メカニカルスプライスによる従来の直線接続部構造と比べて、容易である。
また、本発明の直線接続部構造は小型かつ軽量であり、光ドロップケーブルの途中に設置するのに好適である。
【発明を実施するための最良の形態】
【００１３】
以下、本発明を実施した光ドロップケーブルの直線接続部構造について、図面を参照して説明する。
【実施例１】
【００１４】
この実施例で対象とする光ドロップケーブルの一例を図７に示す。この光ドロップケーブル１１は、単心の光ファイバ心線１２の両側に抗張力材１３を配置しポリエチレンやポリ塩化ビニル等の樹脂被覆（シース）１４ａを施した光ケーブル１５の部分と、鋼線１６ａに樹脂被覆１４ｂを施した支持線１６の部分とをくびれ部１４ｃを介して一体接続した構成である。また、光ケーブル１５部分の樹脂被覆１４ａにはノッチ１４ｄを入れており、このノッチ１４ｄから裂くことで、容易に光ファイバ心線１２を取り出すことができる。
【００１５】
図１〜図６に本発明の一実施例の光ドロップケーブルの直線接続部構造２１を得る手順を示す。
先ず、図１（イ）に示すように、両側の光ドロップケーブル１１の先端から適宜長さのところまでくびれ部１４ｃを引き裂くことで、光ケーブル１５と支持線１６とを互いに分離させる。そして、予め円筒状の保護スリーブ２２を一方の光ドロップケーブル１１に挿通させておく。また、両側の光ドロップケーブル１１に、図１（ロ）にも示すように、端面キャップ係合用の周溝２３ａを形成したゴム等による筒状の周溝部材２３を挿通させておく。
【００１６】
次いで、図２に示すように、両側の各光ケーブル１５に、この実施例では現場付けコネクタである外被把持ＳＣコネクタ２５を取り付け、両外被把持ＳＣコネクタ２５をそれぞれアダプタ２６内に嵌入し互いに突合せて光接続する。
外被把持ＳＣコネクタ２５は、外被把持部２７を一体に備えて、光ケーブル１５の外被部分を把持できるようにしたものである。外被把持部２７の詳細構造は省略するが、一般的な構造のものを採用することができ、例えば、側縁のヒンジ部で開閉可能に結合された基台と蓋部とで外被部分を把持しロックする構造等を採用することができる。
また、両側の支持線１６を連結スリーブ（支持線固定手段）２８に通しカシメをして、両支持線１６を互いに固定的に連結する。
【００１７】
図３（イ）は図２に続く段階を示す。３１はベース部材である。このベース部材３１は、図３（ロ）に示すようにスリット３２ａを形成したケーブル把持部３２を両端に持ち、光ケーブル１５をスリット３２ａに嵌合させて、光ケーブル１５を外被部分にて把持する。
次いで、両側の外被把持ＳＣコネクタ２５をテープ巻きなどの固定手段によりベース部材３１に固定する。３３は固定手段であるテープ巻き部分を示す。なお、アダプタ２６の部分も含めてテープ巻きする固定方法でもよい。また、他の固定方法を採用することもできる。
【００１８】
次いで、図４（イ）に示すように、先に一方の光ドロップケーブル１１に通していた円筒状の保護スリーブ２２を、外被把持ＳＣコネクタ２５、アダプタ２６、ベース部材３１等の部分を覆うように引き寄せて、それらを覆う。この保護スリーブ２２は、図４（ロ）にも示すように、その両端近くに、端面キャップ係合用の周溝２２ａを形成している。
【００１９】
次いで、図５に示すように、端面キャップ３４を保護スリーブ２２の両端に添える。端面キャップ３４は、薄肉ヒンジ部３５で連接された一対の半割り片３６、３７からなり、各半割り片３６、３７の内面に、周溝部材２３の周溝２３ａに嵌合する周方向の突条３６ａ、３７ａ及び、保護スリーブ２２の外周の周溝２２ａに嵌合する周方向の突条３６ｂ、３７ｂを形成している。また、他方の半割り片３７の側縁部に係合爪３７ｃ、一方の半割り片３６の側縁部に図示されぬ係合穴を有し、両半割り片３６、３７を閉ざした時に係合爪３７ｃが係合穴に係合して、互い係合するようになっている。
図５は各端面キャップ３４における一方の半割り片３６を、突条３６ａが周溝部材２３の周溝２３ａに嵌合し突条３６ｂが保護スリーブ２２側の周溝２２ａに嵌合するようにして、保護スリーブ２２の両端部分に添わせた状態であり、次いで、他方の半割り片３７を薄肉ヒンジ部３５を中心にして回して一方の半割り片３６の上に被せ、係合爪３７ｃと係合穴とを係合させて、両半割り片３６、３７を閉じ合わせると、保護スリーブ２２をその両側の周溝部材２３とが端面キャップ３４を介して結合する。
この場合、両側の周溝部材２３が、光ケーブル１５を把持しているベース部材３１の両端に当たってケーブル長さ方向の移動を拘束されるので、保護スリーブ２２及び周溝部材２３がケーブル長さ方向に移動することはない。
また、端面キャップ３４側の突条３６ａ、３７ａが周溝部材２３の周溝２３ａに嵌合する構造は、端面キャップ３４の開口の水密化する作用をしている。さらに、他の水密化手段を採用することもできる。
【実施例２】
【００２０】
なお、この実施例では周溝部材２３をベース部材３１と別部材としているが、周溝部材２３をベース部材３１と一体に形成してもよい。その場合には、図１の段階で周溝部材付きベース部材がセットされることになる。
【実施例３】
【００２１】
上記の実施例では保護スリーブ２２が円筒体であるが、一対の半割り部材からなり、両半割り部材を合体した時に全体として円筒状を呈する構造としてもよい。この場合は、保護スリーブを予め光ドロップケーブルに通しておく必要はない。
また、実施例の端面キャップ３４は薄肉ヒンジ部を介して連接された一対の半割り片からなる開閉可能な構造であるが、始めから筒状体のものとすることもできる。この場合は、光ドロップケーブルに予め通しておく。
また、実施例の光コネクタは外被把持ＳＣコネクタであるが、外被把持型に限定されず、また、コネクタ本体部分の形式も特に限定されず、適宜のタイプのものを使用できる。
また、実施例では単心の光ドロップケーブルを対象としているが、例えば２心の光ドロップケーブルなど、小心数の光ドロップケーブルを対象とすることができる。
【図面の簡単な説明】
【００２２】
【図１】（イ）本発明の一実施例の光ドロップケーブルの直線接続部構造を得る際の作業工程の初期段階を示す図、（ロ）は（イ）のＡ−Ａ拡大断面図である。
【図２】図１に続く段階を示す図である。
【図３】（イ）は図２に続く段階を示す図、（ロ）は（イ）の要部のＢ−Ｂ拡大断面図である。
【図４】（イ）は図３に続く段階を示す図、（ロ）は（イ）の保護スリーブのＣ−Ｃ拡大断面図である。
【図５】図４に続く段階を示す図である。
【図６】図５に続く段階であり、接続完了状態の外観を示す図である。
【図７】実施例で対象とする光ドロップケーブルの一例を示す断面図である。
【図８】従来の光ドロップケーブルの直線接続部構造の一例を示すもので、（イ）は内部構造を説明する斜視図、（ロ）は保護スリーブを被せる状況を説明する側面図である。
【符号の説明】
【００２３】
１１  光ドロップケーブル
１２  光ファイバ心線
１３  抗張力材
１４ａ、１４ｂ    樹脂被覆
１４ｃ  くびれ部
１５  光ケーブル
１６  支持線
２２  保護スリーブ
２２ａ  周溝
２３  周溝部材
２３ａ  周溝
２５  外被把持ＳＣコネクタ（光コネクタ）
２６  アダプタ
２７  外被把持部
２８  連結スリーブ（支持線固定手段）
３１  ベース部材
３２  ケーブル把持部
３２ａ  スリット
３３  テープ巻き（固定手段）
３４  端末キャップ
３５  薄肉ヒンジ部
３６、３７  半割り片
３６ａ、３７ａ  突条
３６ｂ、３７ｂ  突条
３７ｃ  係合爪
【図１】
2007140001.tif 000003
【図２】
2007140001.tif 000004
【図３】
2007140001.tif 000005
【図４】
2007140001.tif 000006
【図５】
2007140001.tif 000007
【図６】
2007140001.tif 000008
【図７】
2007140001.tif 000009
【図８】
2007140001.tif 000010